(57)【要約】【課題】需要家に対して節電意識をより高めることができる情報配信システム、情報配信方法およびプログラムを提供する。【解決手段】情報配信システム１０は、作成部１２と、出力部１６とを備える。作成部１２は、第１分析情報と第２分析情報とを作成する。第１分析情報は、第１所定期間における需要家施設の消費エネルギー（消費電力量）に関する情報（平均使用電力）を第１基準で分析した情報である。第２分析情報は、第２所定期間における需要家施設の消費エネルギーに関する情報を第２基準で分析した情報である。出力部１６は、第１分析情報と第２分析情報とを出力する。【選択図】図１
2017191525.tif 000002
【特許請求の範囲】
【請求項１】
第１所定期間における需要家施設の消費エネルギーに関する情報を第１基準で分析した第１分析情報と、第２所定期間における前記需要家施設の消費エネルギーに関する情報を第２基準で分析した第２分析情報とを作成する作成部と、
前記第１分析情報と前記第２分析情報とを出力する出力部とを備える
情報配信システム。
【請求項２】
前記出力部は、前記第１分析情報と前記第２分析情報とを、異なるタイミングでそれぞれ出力する
請求項１に記載の情報配信システム。
【請求項３】
前記第２所定期間は、前記第１所定期間に連続する期間であって、
前記出力部は、前記第２所定期間に前記第１分析情報を出力し、前記第２所定期間に連続する第３所定期間に前記第２分析情報を出力する
請求項２に記載の情報配信システム。
【請求項４】
前記第２所定期間は、前記第１所定期間に連続する期間であって、
前記出力部は、前記第２所定期間に前記第１分析情報を出力し、前記第２所定期間に連続する第３所定期間に前記第１分析情報と前記第２分析情報とを出力する
請求項１に記載の情報配信システム。
【請求項５】
前記第１所定期間と前記第２所定期間との長さは同一である
請求項１〜４のいずれか一項に記載の情報配信システム。
【請求項６】
前記第１分析情報および前記第２分析情報のうち少なくとも一方の分析情報について、前記分析情報に対する詳細な情報である詳細情報を出力する指示を受け取る入力部をさらに備え、
前記出力部は、前記入力部が前記詳細情報を出力する前記指示を受け取ると、前記分析情報に対する前記詳細情報を出力する
請求項１〜５のいずれか一項に記載の情報配信システム。
【請求項７】
前記第１分析情報および前記第２分析情報のうち少なくとも一方の分析情報について、当該分析情報に対する所定期間より過去の別の所定期間における消費エネルギーに関する情報を、当該分析情報の作成で用いられた基準で分析された第３分析情報を要求する要求情報を受け取る入力部をさらに備え、
前記作成部は、前記入力部が要求情報を受け取ると、前記第３分析情報を取得し、
前記出力部は、前記第３分析情報を出力する
請求項１〜６のいずれか一項に記載の情報配信システム。
【請求項８】
前記第１基準および前記第２基準の一方の基準について、前記基準で分析するとは、前記第１所定期間および前記第２所定期間のうち前記基準が用いられる所定期間を複数の時間帯に分割し、分割された前記複数の時間帯ごとに前記所定期間における消費エネルギーに関する情報を分析することである
請求項１〜７のいずれか一項に記載の情報配信システム。
【請求項９】
前記需要家施設には、複数の分岐回路が設けられており、
前記分岐回路には、１または複数の機器が含まれており、
前記第１基準および前記第２基準の一方の基準について、前記基準で分析するとは、前記第１所定期間および前記第２所定期間のうち前記基準が用いられる所定期間において、前記分岐回路または前記機器ごとに消費エネルギーに関する情報を分析することである
請求項１〜７のいずれか一項に記載の情報配信システム。
【請求項１０】
前記第１基準および前記第２基準の一方の基準について、前記基準で分析するとは、前記第１所定期間および前記第２所定期間のうち前記基準が用いられる所定期間において、前記需要家施設の消費エネルギーに関する情報と、前記需要家施設とは別の需要家施設の消費エネルギーに関する情報とを比較することである
請求項１〜７のいずれか一項に記載の情報配信システム。
【請求項１１】
第１所定期間における需要家施設の消費エネルギーに関する情報を第１基準で分析した第１分析情報と、第２所定期間における前記需要家施設の消費エネルギーに関する情報を第２基準で分析した第２分析情報とを作成する作成ステップと、
前記第１分析情報と前記第２分析情報とを出力する出力ステップとを含む
情報配信方法。
【請求項１２】
コンピュータに、
第１所定期間における需要家施設の消費エネルギーに関する情報を第１基準で分析した第１分析情報と、第２所定期間における前記需要家施設の消費エネルギーに関する情報を第２基準で分析した第２分析情報とを作成する作成ステップと、
前記第１分析情報と前記第２分析情報とを出力する出力ステップとを実行させるための
プログラム。
【発明の詳細な説明】
【技術分野】
【０００１】
本発明は、情報配信システム、情報配信方法およびプログラムに関し、より詳細には需要家施設の消費エネルギーを分析し、その結果を出力する情報配信システム、情報配信方法およびプログラムに関する。
【背景技術】
【０００２】
従来、需要家施設の消費電力量を示す使用量データを、表示装置に表示する表示システムが知られている（たとえば特許文献１参照）。
【０００３】
特許文献１に記載の（電力計量器検針・）表示システムは、電力計量器から送信される消費電力量（電力使用量）に関するデータを、需要家施設（需要家宅）内のパソコン、タブレット、テレビ等の表示装置（屋内表示装置）に表示する。また、特許文献１には、消費電力量を、たとえばエアコン、電気温水器、電子レンジ等の家電製品毎に測定し表示装置に表示すること、さらに、消費電力量の推移を表示装置に表示することが記載されている。このように、表示装置は、需要家施設内において、電力の使用状況をリアルタイムに、かつ詳細に把握できるように表示し、需要家の節電意識を喚起する。
【先行技術文献】
【特許文献】
【０００４】
【特許文献１】特開２０１４−１３００１５号公報
【発明の概要】
【発明が解決しようとする課題】
【０００５】
しかしながら、上述したような表示システムでは、常に同一の基準で消費電力量が分析された結果を表示している。そのため、分析に用いられた基準で分析された結果に興味のない需要家は、表示システムで表示される結果を見ない可能性がある。
【０００６】
そこで、本発明は上記課題に鑑みてなされ、分析結果の訴求力を高めることができる情報配信システム、情報配信方法およびプログラムを提供することを目的とする。
【課題を解決するための手段】
【０００７】
本発明に係る情報配信システムは、作成部と、出力部とを備える。前記作成部は、第１所定期間における需要家施設の消費エネルギーに関する情報を第１基準で分析した第１分析情報と、第２所定期間における前記需要家施設の消費エネルギーに関する情報を第２基準で分析した第２分析情報とを作成する。前記出力部は、前記第１分析情報と前記第２分析情報とを出力する。
【０００８】
また、本発明に係る情報配信方法は、作成ステップと、出力ステップとを含む。前記作成ステップは、第１所定期間における需要家施設の消費エネルギーに関する情報を第１基準で分析した第１分析情報と、第２所定期間における前記需要家施設の消費エネルギーに関する情報を第２基準で分析した第２分析情報とを作成する。前記出力ステップは、前記第１分析情報と前記第２分析情報とを出力する。
【０００９】
また、本発明に係るプログラムは、作成ステップと、出力ステップとを実行させる。前記作成ステップは、第１所定期間における需要家施設の消費エネルギーに関する情報を第１基準で分析した第１分析情報と、第２所定期間における前記需要家施設の消費エネルギーに関する情報を第２基準で分析した第２分析情報とを作成する。前記出力ステップは、前記第１分析情報と前記第２分析情報とを出力する。
【発明の効果】
【００１０】
この発明に係る情報配信システム、情報配信方法およびプログラムによると、分析結果の訴求力を高めることができる。
【図面の簡単な説明】
【００１１】
【図１】図１は、本発明の実施形態に係る情報配信システム（サーバ装置）の構成を示すブロック図である。
【図２】図２は、同上の情報配信システムを含む全体構成を示すシステム構成図である。
【図３】図３は、同上の情報配信システムの配信先である表示システム（情報端末装置）の構成を示すブロック図である。
【図４】図４は、実施形態に係るウィークリー分析レポートとしてのランキングレポートの表示画面の一例を示す図である。
【図５】図５は、実施形態に係るウィークリー分析レポートとしてのワースト曜日レポートの表示画面の一例を示す図である。
【図６】図６は、実施形態に係るウィークリー分析レポートとしてのピークゾーン診断レポートの表示画面の一例を示す図である。
【図７】図７は、実施形態に係るウィークリー分析レポートとしての電気料金レポートの表示画面の一例を示す図である。
【図８】図８は、実施形態に係るマンスリー分析レポートを選択させる表示画面の一例を示す図である。
【図９】図９Ａは、実施形態に係るマンスリー分析レポートとしてのピーク値ランキングレポートの表示画面の一例を示す図であり、図９Ｂは、ピーク値ランキングレポートの詳細情報に関する表示画面の一例を示す図である。
【図１０】図１０は、変形例２に係るウィークリー分析レポートとしてのワースト分岐回路レポートの表示画面の一例を示す図である。
【発明を実施するための形態】
【００１２】
（実施形態）
（１）全体概要
本実施形態では、需要家施設（facility）の消費エネルギーに関する情報を所定の基準で分析した情報を作成して出力する機能を、基本的な機能として有する情報配信システムについて説明する。本実施形態においては、情報配信システム１０は、図１、図２に示すようにサーバ装置１にて構成されている。
【００１３】
サーバ装置１は、図２に示すように、計測システム２０にネットワーク４を介して接続される。計測システム２０は、需要家施設５における複数の分岐回路の各々について、消費電力と消費電力量との少なくとも一方を計測値として計測するシステムである。また、ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設５の一例として説明する。
【００１４】
また、サーバ装置１は、図２に示すように、表示システム３０にネットワーク４を介して接続される。表示システム３０は、図２に示すように、表示部３１を備える情報端末装置３にて構成されており、情報配信システム１０（サーバ装置１）で出力された情報を表示部３１に表示する。これにより、表示システム３０は、情報配信システム１０で作成された情報（消費エネルギーに関する情報を所定の基準で分析した情報）を、表示システム３０（情報端末装置３）の所有者である顧客に対して提示することが可能となる。つまり、顧客は、表示システム３０に表示される画面を見ることで。視覚的に、需要家施設５での消費エネルギーに関する情報を確認することができる。
【００１５】
なお、表示システム３０によるサービスの提供を受ける顧客（情報端末装置３の所有者）は、住人（需要家施設５の使用者）と同一人である。ここで、「需要家施設５の使用者」は、需要家施設５を使用する人を意味しており、需要家施設５が住宅である本実施形態においては、需要家施設５の住人である。また、需要家施設５の住人が複数人である場合には、「需要家施設５の使用者」は、複数の住人のうちの一人を指すこともあり、二人以上（全員も含む）を指すこともある。以下では「需要家施設５の使用者」を単に「住人」ともいう。
【００１６】
（２）構成
次に、本実施形態に係る情報配信システム１０、計測システム２０、および表示システム３０の構成について説明する。
【００１７】
（２．１）計測システム
先ず、本実施形態の計測システム２０の構成について説明する。
【００１８】
計測システム２０は、図２に示すように、計測ユニット２１と、通信アダプタ２２と、電流センサ２３，２４とを備えている。このうち、計測ユニット２１、通信アダプタ２２、および電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００１９】
計測ユニット２１は、電流センサ２３，２４に電気的に接続されている。電流センサ２３は、主幹ブレーカ６１の一次側に設けられ、幹線を流れる電流の値を計測する。電流センサ２４は、複数の分岐ブレーカ６２に対応して設けられ、複数の分岐回路に流れる電流の値をそれぞれ計測する。ここでいう「分岐回路」は、複数の分岐ブレーカ６２にて幹線から分岐された各回路を意味する。「分岐回路」には、分岐ブレーカ６２に接続される配線、照明器具や調理家電等の機器６３、コンセント（アウトレット）、壁スイッチなどを含んでいる。このような分岐回路は、本実施形態のように住宅からなる需要家施設５においては、例えばリビング、寝室、玄関、トイレ、子供部屋、キッチン等の部屋ごと、かつ照明器具、調理家電、エアコン（エアーコンディショナ）等の機器の種類ごとに設けられる。１つの分岐回路には、１つの機器６３が含まれてもよいし、複数の機器６３が含まれてもよい。
【００２０】
計測ユニット２１は、電流センサ２３，２４の出力を用いて、幹線および複数の分岐回路の各々について、消費電力と消費電力量との少なくとも一方を計測する。通信アダプタ２２は、計測ユニット２１で計測された計測値を、計測システム２０の計測値として需要家施設５に設けられたコントローラ４０へ送信する。コントローラ４０は、ルータ７を介してネットワーク４に接続されている。コントローラ４０は、計測システム２０で計測された計測値を定期的にサーバ装置へ送信する。
【００２１】
要するに、計測システム２０の計測値は、需要家施設５における複数の分岐回路の各々について、計測ユニット２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば１分間）積算した消費電力量であることとする。
【００２２】
（２．２）情報配信システム
次に、本実施形態の情報配信システム１０の構成について説明する。
【００２３】
情報配信システム１０は、上述したように、本実施形態ではサーバ装置１にて構成されている。サーバ装置１は、情報端末装置３にネットワーク４を介して接続される。
【００２４】
サーバ装置１は、計測システム２０で計測された消費電力量（消費エネルギー）を、少なくとも分岐ブレーカ６２（分岐回路）ごとに時系列データとして取得する。サーバ装置１は、所定のアルゴリズムに従って需要家施設５の消費エネルギーに関する情報を所定の基準で分析した情報を作成して、情報端末装置３へ出力する。
【００２５】
サーバ装置１は、図１に示すように、記憶部１１と、作成部１２と、通信部１３を備える。作成部１２は、ＣＰＵ（Central Processing Unit）およびメモリを有するコンピュータを主構成としており、ＣＰＵがメモリに格納されているプログラムを実行することにより所望の機能を実現する。プログラムは、ここではインターネットなどの電気通信回線を通じて、あるいはメモリカードなどの記録媒体に記録されて提供されるが、コンピュータのメモリに予め記録されていてもよい。
【００２６】
記憶部１１は、例えばフラッシュメモリなどの電気的に書換可能な不揮発性の半導体メモリで構成される。記憶部１１は、図１に示すように、計測結果記憶部１４と、分析結果記憶部１５とを有する。
【００２７】
計測結果記憶部１４は、計測システム２０から取得した需要家施設５の消費エネルギー（消費電力量）を、需要家施設５ごとに記憶する領域である。計測結果記憶部１４は、例えば需要家施設５の消費エネルギーを、当該需要家施設５の識別子に対応付けて記憶している。ここで、需要家施設５の識別子とは、例えば需要家施設５の使用者の識別子である。
【００２８】
また、計測結果記憶部１４は、需要家施設５ごとに消費電力量を記憶する他、需要家施設５ごとに当該需要家施設５が立地している地域、世帯人数、住居形態（戸建または集合住宅）などをも記憶している。なお、消費電力量以外の情報である需要家施設５が立地している地域、世帯人数、住居形態などは、他の記憶領域に記憶されてもよい。
【００２９】
分析結果記憶部１５は、作成部１２で作成された分析情報を、需要家施設５ごとに記憶する領域である。分析結果記憶部１５は、例えば需要家施設５の分析情報を、当該需要家施設５の識別子に対応付けて記憶している。
【００３０】
作成部１２は、所定期間における需要家施設５の消費エネルギーに関する情報を所定の基準で分析した分析情報を生成する。具体的には、作成部１２は、３０分間ごとの平均使用電力（ｋＷ）に基づいて所定の基準で分析した分析情報を作成する。ここで、消費電力量が消費エネルギーに相当し、平均使用電力が消費エネルギーに関する情報に相当する。また、３０分間の平均使用電力とは、ｎ時３０分に計測ユニット２１で計測された消費電力量からｎ時０分に計測ユニット２１計測された消費電力量を差し引いた値である。なお、ｎは０〜２３の整数である。また、後述する１時間の平均使用電力とは、３０分間の使用電力を２倍した値である。１日の平均使用電力とは、０時〜２４時までに得られる２４個の１時間の平均使用電力の総和である。さらに、１週間の平均使用電力とは、１週間である７日間で得られる７個の１日の平均使用電力の総和である。１ヶ月の平均使用電力とは、１ヶ月で得られる複数の１日の平均使用電力の総和である。
【００３１】
例えば、作成部１２は、毎週同一の曜日（例えば、毎週日曜日）に、前週１週間における需要家施設５の消費エネルギーに関する情報を所定の基準で分析した分析情報（ウィークリー分析レポート）を作成する。作成部１２は、作成した分析情報を、通信部１３を介して情報端末装置３へ送信（出力）する。また、作成部１２は、作成したウィークリー分析レポートを、作成対象である需要家施設５の識別子に対応付けて分析結果記憶部１５に記憶する。
【００３２】
また、作成部１２は、毎月同一の日にち（例えば毎月１日）に、前月における需要家施設５の消費エネルギーに関する情報を所定の基準で分析した分析情報（マンスリー分析レポート）を作成し、通信部１３を介して情報端末装置３へ送信（出力）する。作成部１２は、作成したマンスリー分析レポートを、作成対象である需要家施設５の識別子に対応付けて分析結果記憶部１５に記憶する。本実施形態では、１週間の始まりを日曜日とする。そして、ある月の第１週、第２週、・・・とは、その月での最初の日曜日から土曜日までの１週間、２回目の日曜日から土曜日までの１週間、・・・と定義する。
【００３３】
本実施形態では、ウィークリー分析レポートとして、４種類のレポートがある。具体的には、ランキングレポート、ワースト曜日レポート、ピークゾーン診断レポート、および電気料金レポートがある。各種レポートは、互いに異なるタイミング、つまり互いに異なる週に出力される。例えば、ある月の第１週ではランキングレポートが、第２週ではワースト曜日レポートが、第３週ではピークゾーン診断レポートが、第４週では特定の機器の電気料金レポートが、それぞれ出力される。つまり、ランキングレポート、ワースト曜日レポート、ピークゾーン診断レポート、および電気料金レポートの順で、週ごとに出力される。
【００３４】
ウィークリー分析レポートとしてのランキングレポートとは、１週間の平均使用電力の総和に基づいた需要家施設５の順位を含むレポートである。ウィークリー分析レポートとしてのワースト曜日レポートとは、１週間の曜日ごとの１日の平均使用電力に基づいた曜日の順位を含むレポートである。ウィークリー分析レポートとしてのピークゾーン診断レポートとは、１日を複数の時間帯に分割し、複数の時間帯ごとの平均使用電力に関連するデータを表すレポートである。複数の時間帯ごとの平均使用電力に関連するデータとは、例えば、複数の時間帯の当該時間帯における平均使用電力の１週間の平均値である。ウィークリー分析レポートとしての電気料金レポートとは、特定の機器または場所（部屋）における１週間の平均使用電力に基づいた当該特定の機器の順位を含むレポートである。ここで、特定の機器としては、例えばエアコン、冷蔵庫および調理家電等がある。また、特定の部屋としては、例えばリビング、寝室、子供部屋等がある。
【００３５】
また、本実施形態では、マンスリー分析レポートとして、ランキングレポート、ワースト曜日レポート、ピークゾーン診断レポート、電気料金レポートおよびピーク値ランキングレポートがある。
【００３６】
マンスリー分析レポートとしてのランキングレポートとは、１ヶ月の平均使用電力に基づいた需要家施設５の順位を含むレポートである。マンスリー分析レポートとしてのワースト曜日レポートとは、１ヶ月における曜日ごとの１日当たりの平均使用電力の平均に基づいた曜日の順位を含むレポートである。マンスリー分析レポートとしてのピークゾーン診断レポートとは、１日を複数の時間帯に分割し、複数の時間帯ごとの平均使用電力に関連するデータを表すレポートである。複数の時間帯ごとの平均使用電力に関連するデータとは、例えば、複数の時間帯ごとの当該時間帯における平均使用電力の１ヶ月の平均値である。マンスリー分析レポートとしての電気料金レポートとは、特定の機器の１ヶ月の平均使用電力に基づいた当該特定の機器の順位を含むレポートである。マンスリー分析レポートとしてのピーク値ランキングレポートとは、所定の時間帯（例えば３０分単位の時間帯）での平均使用電力が大きい上位５つの日にち、その時間帯および平均使用電力を含むレポートである。さらに、ピーク値ランキングレポートには、作成対象の月から前年の同じ月まで遡った期間における月ごとの所定の時間帯における最も大きい平均使用電力の情報を含んでいる。
【００３７】
なお、ウィークリー分析レポートおよびマンスリー分析レポートの作成の詳細な説明については後述する。
【００３８】
（２．３）表示システム
次に、本実施形態の表示システム３０の構成について説明する。本実施形態では、表示システム３０は、上述したように情報端末装置３にて構成されている。
【００３９】
情報端末装置３は、一例として表示部３１を備えるスマートフォンである。情報端末装置３は、ＣＰＵ（Central Processing Unit）およびメモリを有するコンピュータを主構成としており、ＣＰＵがメモリに格納されているプログラムを実行することにより、コンピュータを表示制御部３２として機能させる。プログラムは、ここではインターネットなどの電気通信回線を通じて、あるいはメモリカードなどの記録媒体に記録されて提供されるが、コンピュータのメモリに予め記録されていてもよい。ここでいう表示制御部３２は、表示部３１に表示させる画面を作成し、表示部３１を制御することにより、作成した画面を表示部３１に表示させる機能を持つ。つまり、スマートフォンからなる情報端末装置３は、専用のアプリケーションソフトをインストールし、このアプリケーションソフトを起動することにより、表示部３１を制御するための表示制御部３２としての機能を実現する。
【００４０】
情報端末装置３は、表示部３１および表示制御部３２の他、通信部３３、入力部３４、および記憶部３５をさらに備えている。
【００４１】
通信部３３は、ネットワーク４に接続されることで、情報端末装置３と情報配信システム１０および計測システム２０との間の通信を可能にする。ここでは、情報端末装置３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部１３は、公衆無線ＬＡＮ（Local Area Network）を介してネットワーク４に接続されてもよい。
【００４２】
入力部３４は、顧客（情報端末装置３の所有者）の操作を受け付ける機能を有している。本実施形態では、情報端末装置３はタッチパネルディスプレイを搭載したスマートフォンであり、タッチパネルディスプレイが表示部３１および入力部３４として機能する。ただし、入力部３４は、タッチパネルディスプレイに限らず、例えばキーボードやポインティングデバイス、メカニカルなスイッチなどであってもよい。
【００４３】
記憶部３５は、例えばフラッシュメモリなどの電気的に書換可能な不揮発性の半導体メモリで構成される。
【００４４】
情報端末装置３は、上記構成によりサーバ装置１で生成された分析情報を表示することができる。
【００４５】
（２．４）その他の構成
本実施形態では、図２に示す情報端末装置８または情報端末装置８ａを表示システムとすることが可能である。
【００４６】
情報端末装置８は、一例として表示部８１を備えるスマートフォンである。情報端末装置３は、ＣＰＵ（Central Processing Unit）およびメモリを有するコンピュータを主構成としており、ＣＰＵがメモリに格納されているプログラムを実行することにより、コンピュータを表示制御部として機能させる。プログラムは、ここではインターネットなどの電気通信回線を通じて、あるいはメモリカードなどの記録媒体に記録されて提供されるが、コンピュータのメモリに予め記録されていてもよい。
【００４７】
情報端末装置８は、情報端末装置３と同様の構成を有している。情報端末装置３との相違点は、サーバ装置１との接続方法である。情報端末装置８の通信部は、例えばルータ７との間でＷｉ−Ｆｉ（登録商標）に準拠した近距離無線通信の機能を有している。情報端末装置８が需要家施設５内にある場合には、情報端末装置８の通信部は、短距離無線通信によりルータ７およびネットワーク４を介してサーバ装置１と接続される。これにより、情報端末装置８は、サーバ装置１で生成された分析情報を表示部８１で表示することができる。
【００４８】
また、情報端末装置８ａは、一例として表示部８１ａを備え、計測ユニット２１の計測結果およびサーバ装置１で生成された分析情報等を表示する専用のモニターである。情報端末装置８ａは、ＣＰＵ（Central Processing Unit）およびメモリを有するコンピュータを主構成としており、ＣＰＵがメモリに格納されているプログラムを実行することにより、コンピュータを表示制御部として機能させる。
【００４９】
情報端末装置８ａは、情報端末装置３と同様の構成を有している。情報端末装置３との相違点は、サーバ装置１との接続方法である。情報端末装置８ａの通信部は、例えばルータ７との間でケーブルにより接続されている。情報端末装置８ａの通信部は、ケーブルでルータ７に接続されることで、ルータ７およびネットワーク４を介してサーバ装置１と接続される。これにより、情報端末装置８ａは、サーバ装置１で生成された分析情報を表示部８１ａで表示することができる。
【００５０】
なお、情報端末装置８ａは、ケーブルを介さずに、コントローラ４０と直接通信可能に構成されてもよい。情報端末装置８ａの通信方式は、有線通信に限らず、例えばＷｉ−Ｆｉ（登録商標）、または免許を必要としない小電力無線（特定小電力無線）等の無線通信であってもよい。この種の小電力無線については、用途等に応じて使用する周波数帯域や空中線電力等の仕様が各国で規定されている。日本国においては、９２０ＭＨｚ帯または４２０ＭＨｚ帯の電波を使用する小電力無線が規定されている。
【００５１】
（３）処理
ここでは、情報配信システム１０および表示システム３０が行う処理について説明する。
【００５２】
（３．１）情報配信システム
情報配信システム１０が行う各種レポートの作成について説明する。情報配信システム１０が作成するレポートには、上述したように、ウィークリー分析レポートとマンスリー分析レポートとがある。
【００５３】
（３．１．１）ウィークリー分析レポート
ウィークリー分析レポートには、ランキングレポート、ワースト曜日レポート、ピークゾーン診断レポートおよび電気料金レポートがある。
【００５４】
先ず、ランキングレポートの作成および出力について説明する。
【００５５】
作成部１２は、計測結果記憶部１４に記憶されている１週間分の需要家施設５における３０分ごとの平均使用電力の情報を用いて１週間分の平均使用電力を算出する。
【００５６】
作成部１２は、サーバ装置１に登録されているすべての需要家施設５について１週間分の平均使用電力を算出した後、各種ランキングを決定する。具体的には、作成部１２は、同一地域で立地された需要家施設５の識別子と、対応する１週間分の平均使用電力とからなる複数の組を、１週間分の平均使用電力をソートキーとして昇順に並べて、地域ランキングを作成する。また、作成部１２は、世帯人数が同一である需要家施設５の識別子と、対応する１週間分の平均使用電力とからなる複数の組を、１週間分の使用電力をソートキーとして昇順に並べて、世帯人数ランキングを作成する。さらには、作成部１２は、住居形態が同一である需要家施設５の識別子と、対応する１週間分の平均使用電力とからなる複数の組を、１週間分の平均使用電力をソートキーとして昇順に並べて住居形態ランキングを作成する。
【００５７】
作成部１２は、出力先（送信先）の情報端末装置３の所有者が使用する需要家施設５に対する地域ランキング、世帯人数ランキングおよび住居形態ランキングのそれぞれの順位および総数を取得する。さらに、作成部１２は、取得した世帯人数ランキングの順位（現順位）について前月の同じ週における世帯人数ランキングの順位（過去順位）からの変動を算出する。例えば、作成部１２は、取得した世帯人数ランキングの順位が４月第２週の順位であれば、３月第２週における順位からの変動を算出する。具体的には、作成部１２は、過去順位から現順位を減算する。減算結果が正の数であれば順位が上がったことを表し、減算結果が負の数であれば順位が下がったことを表す。
【００５８】
作成部１２は、取得した地域ランキング、世帯人数ランキングおよび住居形態ランキングのそれぞれの順位および総数と、減算結果とを含むランキングレポートを生成する。作成部１２は、生成したランキングレポートを分析情報として、通信部１３を介して送信先の情報端末装置３へ出力する。また、作成部１２は、作成したランキングレポートを分析情報として、作成対象である需要家施設５の識別子に対応付けて分析結果記憶部１５に記憶する。
【００５９】
このように、作成部１２は、一の需要家施設５での消費エネルギー（１週間分の平均使用電力）と、他の需要家施設５（例えば同一地域）での消費エネルギー（１週間分の平均使用電力）とを比較することで、ランキングレポートを作成することができる。ここで、分析情報としてのランキングレポートにおいて、所定の基準で分析するとは、一の需要家施設５での消費エネルギーと、他の需要家施設５での消費エネルギーとを比較することである。
【００６０】
次に、ワースト曜日レポートの作成、出力について説明する。
【００６１】
作成部１２は、需要家施設５ごとに、計測結果記憶部１４に記憶している当該需要家施設５の先週１週間分における１時間ごとの平均使用電力を用いて曜日ごとに１日の平均使用電力を算出する。作成部１２は、曜日名とその曜日に対応する１日の平均使用電力とからなる複数の組を、その曜日に対応する１日の平均使用電力をソートキーとして降順に並び替える。作成部１２は、上位３つの曜日名と、これら曜日に対応する１日の平均使用電力と、これら平均使用電力を電気料金に換算した結果（電気料金）を含むワースト曜日レポートを作成する。
【００６２】
作成部１２は、作成したワースト曜日レポートを、分析情報として通信部１３を介して送信先の情報端末装置３へ出力する。また、作成部１２は、作成したワースト曜日レポートを分析情報として、作成対象である需要家施設５の識別子に対応付けて分析結果記憶部１５に記憶する。
【００６３】
このように、作成部１２は、時間軸に沿って所定期間（１週間）を曜日ごとに分割し、複数の曜日ごとの消費エネルギー（平均使用電力）から電力の消費が最も多いワースト３の曜日を抽出することで、ワースト曜日レポートを作成することができる。ここで、分析情報としてのワースト曜日レポートにおいて、所定の基準で分析するとは、所定期間を複数の時間帯に分割し、複数の時間帯ごとに所定期間における消費エネルギーを分析することである。
【００６４】
次に、ピークゾーン診断レポートの作成、出力について説明する。
【００６５】
作成部１２は、計測結果記憶部１４に記憶されている先週１週間のうち平日５日分（月曜日〜金曜日）の１時間ごとの平均使用電力を用いて、複数の所定時間帯ごとの平均使用電力を算出する。例えば、作成部１２は、月曜日〜金曜日の各曜日について、０時〜６時、６時〜１２時、１２時〜１８時および１８時〜２４時の所定時間帯ごとに、平日における当該所定時間帯の平均使用電力を算出する。作成部１２は、所定時間帯ごとに、算出された各曜日の当該所定時間帯の平均使用電力の平均値（第１平均値）を算出する。例えば、０時〜６時の時間帯において算出された月曜日〜金曜日までの各曜日の当該時間帯の平均使用電力の第１平均値を算出する。
【００６６】
作成部１２は、月曜日〜金曜日までの各曜日の１日の平均使用電力を算出し、算出した５日分の１日当たりの平均使用電力を用いて、１日の平均値を算出する。具体的には、作成部１２は、算出した５つの１日の平均使用電力の総和を５で除算して、１日の平均値を算出する。作成部１２は、各所定時間帯での第１平均値について、算出した１日の平均値に対する割合を算出する。作成部１２は、算出した各割合から割合の値が最も大きい時間帯（第１時間帯）を特定する。
【００６７】
また、作成部１２は、計測結果記憶部１４に記憶されている先週１週間のうち平日５日分の１時間ごとの平均使用電力を用いて、同一時間帯ごとの平均使用電力の平均値（第２平均値）を算出する。例えば、作成部１２は、０時〜１時の第２平均値を算出する場合には、月曜日〜金曜日における０時〜１時の１時間の平均使用電力の総和を５で除算する。作成部１２は、算出した１時間ごとの第２平均値のうち０〜２４時までの時間帯で値が最も大きい第２平均値の時間帯（第２時間帯）を特定する。
【００６８】
作成部１２は、算出した所定時間帯ごとの第１平均値の割合と、単位時間帯ごとの第２平均値と、第１時間帯と、第２時間帯とを含むピークゾーン診断レポートを作成する。作成部１２は、作成したピークゾーン診断レポートを分析情報として、通信部１３を介して送信先の情報端末装置３へ出力する。また、作成部１２は、作成したピークゾーン診断レポートを分析情報として、作成対象である需要家施設５の識別子に対応付けて分析結果記憶部１５に記憶する。
【００６９】
このように、作成部１２は、所定期間（１週間）を複数の時間帯（６時間ごとの時間帯および１時間ごとの時間帯）に分割し、同一時間帯ごとに、１週間の平均使用電力の平均値から電力の消費が最も多い時間帯を特定する。そして、作成部１２は、特定した時間帯を用いてピークゾーン診断レポートを作成することができる。ここで、分析情報としてのピークゾーン診断レポートにおいて、所定の基準で分析するとは、時間軸に沿って複数の時間帯に分割し、複数の時間帯ごとに所定期間における消費エネルギー（平均使用電力）を分析することである。
【００７０】
次に、電気料金レポートの作成、出力について説明する。
【００７１】
本実施形態では、記憶部１１に、特定の機器６３に対する電気料金レポートを作成するために、需要家施設５ごとに、作成対象となる機器６３の名称と当該機器６３が接続された分岐ブレーカ６２の識別子との組が記憶されている。また、計測システム２０は、電流センサ２４の出力を用いて計測された消費電力量をサーバ装置１に送信する場合には、電流センサ２４が計測した分岐回路に含まれる分岐ブレーカ６２の識別子を付加している。サーバ装置１の計測結果記憶部１４は、消費電力量と分岐ブレーカ６２との組を記憶している。
【００７２】
作成部１２は、計測結果記憶部１４に記憶されている先週１週間分の消費電力量のうち特定の機器６３に対する消費電力量を用いて、特定の機器６３に対する１週間の平均使用電力を算出する。具体的には、作成部１２は、電気料金レポートの作成対象である需要家施設５について、特定の機器６３の名称および分岐ブレーカ６２の識別子を記憶部１１から取得する。作成部１２は、取得した識別子に対応する１週間分の消費電力量を計測結果記憶部１４から取得する。作成部１２は、取得した１週間分の消費電力量を用いて、１時間ごとの平均使用電力を算出する。作成部１２は、算出した１時間ごとの平均使用電力を用いて、１週間の平均使用電力を算出する。作成部１２は、算出した１週間の平均使用電力から、特定の機器６３の１週間における電気料金を算出する。
【００７３】
作成部１２は、サーバ装置１に登録されているすべての需要家施設５について、特定の機器６３における１週間の電気料金を算出した後、特定の機器６３ごとのランキングを決定する。具体的には、作成部１２は、特定の機器６３の１週間の電気料金を用いて、名称が同一である機器６３ごとに、地域ランキング、世帯人数ランキングおよび住居形態ランキングを作成する。特定の機器６３に対する電気料金レポートにおける地域ランキング、世帯人数ランキングおよび住居形態ランキングの作成は、ランキングレポートのこれらのランキングの作成において“１週間の平均使用電力”を“電気料金”と置き換えればよい。そのため、電気料金レポートにおける地域ランキング、世帯人数ランキングおよび住居形態ランキングの作成についての説明は省略する。さらに、作成部１２は、取得した世帯人数ランキングの順位（現順位）について前月の同じ週における世帯人数ランキングの順位（過去順位）からの変動を算出する。
【００７４】
作成部１２は、需要家施設５の特定の機器６３についての地域ランキング、世帯人数ランキングおよび住居形態ランキングのそれぞれの順位および総数と、変動結果とを含む電気料金レポートを生成する。作成部１２は、生成した電気料金レポートを分析情報として、通信部１３を介して送信先の情報端末装置３へ出力する。また、作成部１２は、作成した電気料金レポートを分析情報として、作成対象である需要家施設５の識別子に対応付けて分析結果記憶部１５に記憶する。
【００７５】
なお、上記説明では、需要家施設５について特定の機器６３は１つであると仮定して説明したが、需要家施設５において、複数の特定の機器６３が設定されていてもよい。この場合、需要家施設５について、特定の機器６３ごとに電気料金レポートが作成される。
【００７６】
また、作成部１２は、分岐ブレーカ６２ごとの電気料金レポートを作成してもよい。つまり、分岐ブレーカ６２に対応する部屋ごとの電気料金レポートを作成してもよい。この場合、記憶部１１は、電気料金レポートの作成対象である部屋の名称（例えば、リビング）と、当該部屋に対応する分岐ブレーカ６２の識別子との組を記憶している。
【００７７】
このように、作成部１２は、特定の機器または場所について、一の需要家施設５での消費エネルギーと、他の需要家施設５での消費エネルギーとを比較することで、特定の機器（場所）に対する電気料金レポートを作成することができる。ここで、分析情報としての電気料金レポートにおいて、所定の基準で分析するとは、所定期間（１週間）において、分岐ブレーカ６２または機器ごとに消費エネルギーを分析することである。
【００７８】
作成部１２は、ウィークリー分析レポートを情報端末装置３へ送信した後、情報端末装置３から詳細情報の送信指示を表す情報（指示情報）を受け取ると、送信したウィークリー分析レポートに応じた詳細情報を生成して送信する。
【００７９】
ウィークリー分析レポートとしてランキングレポートを送信した後、詳細情報の送信指示を受け取ると、作成部１２は、地域ランキング、世帯人数ランキングおよび住居形態ランキングのそれぞれを表す情報を詳細情報として通信部１３を介して送信する。例えば、作成部１２は、地域ランキング、世帯人数ランキングおよび住居形態ランキングのそれぞれについて、１週間の平均使用電力を昇順に並べたリストをランキング表を表す情報を詳細情報として通信部１３を介して情報端末装置３へ送信する。
【００８０】
ウィークリー分析レポートとしてワースト曜日レポートを送信した後、詳細情報の送信指示を受け取ると、作成部１２は、消費電力量が大きい上位３つの曜日について、１時間ごとの平均使用電力を表す情報を詳細情報として通信部１３を介して送信する。
【００８１】
ウィークリー分析レポートとしてピークゾーン診断レポートを送信した後、詳細情報の送信指示を受け取ると、作成部１２は、上述した第１時間帯および第２時間帯における複数の分岐ブレーカ６２ごとの平均使用電力を表す情報を詳細情報と作成する。作成部１２は、作成した詳細情報を通信部１３を介して送信する。
【００８２】
ウィークリー分析レポートとして電気料金レポートを送信した後、詳細情報の送信指示を受け取ると、作成部１２は、特定の機器または場所に対する１週間における１時間ごとの平均使用電力を表す情報を詳細情報として通信部１３を介して送信する。
【００８３】
（３．１．２）マンスリー分析レポート
次に、情報配信システム１０が行うマンスリー分析レポートの作成について説明する。マンスリー分析レポートには、上述したように、ランキングレポート、ワースト曜日レポート、ピークゾーン診断レポート、電気料金レポートおよびピーク値ランキングレポートがある。
【００８４】
情報配信システム１０は、マンスリー分析レポートとしての各種レポートを作成すると、作成対象である需要家施設５の識別子に対応付けて分析結果記憶部１５に記憶する。情報配信システム１０は、情報端末装置３の所有者の要求に応じたレポートを分析情報として、出力部１６を介して情報端末装置３に送信する。
【００８５】
マンスリー分析レポートしてのランキングレポート、ワースト曜日レポート、ピークゾーン診断レポート、電気料金レポートと、ウィークリー分析レポートである各種レポートとの違いは、利用するデータである。例えば、マンスリー分析レポートの作成時には、ランキングレポートでは１ヶ月の平均使用消費電力が、ワースト曜日レポートでは１ヶ月における曜日ごとの平均使用電力が用いられる。また、ピークゾーン診断レポートでは１ヶ月における各時間帯の平均使用電力が、電気料金レポートでは特定の機器または場所に対する１ヶ月の平均使用電力が用いられる。これらレポートの詳細な作成については、ウィークリー分析レポートにおける各種レポートの作成と同様であるで、ここでの説明は省略する。
【００８６】
また、作成部１２は、マンスリー分析レポートとして、ランキングレポート、ワースト曜日レポート、ピークゾーン診断レポートおよび電気料金レポートの他、ピーク値ランキングレポートを作成する。
【００８７】
作成部１２は、計測結果記憶部１４に記憶されている作成対象月分（先月分）の消費電力量を用いて、作成対象月における各日の３０分間ごとの消費電力量を算出する。具体的には、ｎ時０分〜ｎ時３０分の平均使用電力およびｎ時３０分〜（ｎ＋１）時０分の平均使用電力を算出する。
【００８８】
作成部１２は、月日と、３０分間の時間帯と、その月日および時間帯に対応する平均使用電力とからなる複数の組を、３０分間の平均使用電力をソートキーとして降順に並び替える。作成部１２は、ソート後の上記複数の組のうち、平均使用電力が上位５つの組を取得する。
【００８９】
作成部１２は、作成対象月から過去に遡って作成対象月と同一である前年の月までの月ごとに、最も大きい３０分間の平均使用電力（過去平均使用電力）を、分析結果記憶部１５に記憶している過去のピーク値ランキングレポートから取得する。
【００９０】
作成部１２は、取得した上記５つの組と、作成対象月と同一である前年の月までの月ごとの過去平均使用電力とを含むピーク値ランキングレポートを作成する。
【００９１】
また、作成部１２は、３０分間の平均使用電力が最も大きい上位５つの月日および３０分間の時間帯について、平均使用電力が大きい上位５つの分岐回路を特定する。具体的には、作成部１２は、計測結果記憶部１４に記憶されている消費電力量のうち該当する月日および時間帯の消費電力量を用いて、分岐回路ごとの当該時間帯における平均使用電力を算出する。作成部１２は、当該時間帯における平均使用電力が大きい上位５つの分岐回路について、当該分岐回路が設けられた部屋、機器またはその両方と、当該分岐回路の当該時間帯における平均使用電力とを含むピーク値詳細情報を作成し、分析結果記憶部１５に記憶する。
【００９２】
作成部１２は、マンスリー分析レポートを情報端末装置３へ送信した後、情報端末装置３から詳細情報の送信指示を表す情報（指示情報）を受け取ると、送信したマンスリー分析レポートに応じた詳細情報を送信する。
【００９３】
マンスリー分析レポートとして、ランキングレポート、ワースト曜日レポート、ピークゾーン診断レポートおよび電気料金レポートの詳細情報は、ウィークリー分析レポートである各種レポートの詳細情報と同様の方法で作成できるため、ここでの説明は省略する。
【００９４】
マンスリー分析レポートとしてピーク値ランキングレポートを送信した後、詳細情報の送信指示を受け取ると、作成部１２は、分析結果記憶部１５に記憶しているピーク値詳細情報のうち、送信指示に応じたピーク値詳細情報を取得する。作成部１２は、取得したピーク値詳細情報を、通信部１３を介して情報端末装置３へ送信する。
【００９５】
（３．２）表示システム
ここでは、表示システムとして情報端末装置３を用いて説明する。
【００９６】
情報端末装置３が上述した電気料金レポートを受け取って表示するためには、情報端末装置３の所有者（需要家施設５の利用者）は、特定の機器または部屋を登録する必要がある。そこで、情報端末装置３の表示制御部３２は、特定の機器または部屋を登録するための登録画面を表示する。情報端末装置３の所有者は、入力部３４に対して操作を行うことで、需要家施設５の識別子と、特定の機器の名称または部屋の名称と、特定の機器の名称または部屋の名称に対応する分岐ブレーカ６２の識別子とを入力する。ここで、需要家施設５の識別子は、例えば需要家施設５の利用者の識別子である。
【００９７】
通信部３３は、入力部３４に対して送信に係る所定の操作が行われると、入力された需要家施設５の識別子と、特定の機器の名称または部屋の名称と、分岐ブレーカ６２の識別子とをサーバ装置１へ送信する。
【００９８】
サーバ装置１は、情報端末装置３から受け取った特定の機器の名称または部屋の名称と、分岐ブレーカ６２の識別子との組を需要家施設５の識別子に対応付けて記憶部１１に記憶する。これにより、サーバ装置１は、需要家施設５の識別子ごとに、特定の機器の名称または部屋の名称と、分岐ブレーカ６２の識別子との組を記憶することができる。
【００９９】
なお、情報端末装置８および情報端末装置８ａのいずれかを表示システムとした場合であっても、上記処理で特定の機器の名称または部屋の名称と、分岐ブレーカ６２の識別子との組を記憶することができる。
【０１００】
（４）表示画面
次に、本実施形態に係る表示画面の構成について説明する。
【０１０１】
（４．１）ウィークリー分析レポートの表示画面の構成
以下、ウィークリー分析レポートにおける各種表示画面の構成について説明する。なお、ウィークリー分析レポートにおける各種表示画面は、情報端末装置３，８，８ａのいずれかの装置においても表示可能である。
【０１０２】
（４．１．１）ランキングレポート
先ず、ランキングレポートの表示画面１００の構成について説明する。
【０１０３】
ランキングレポートの表示画面１００は、図４に示すように、表示項目として、配信日項目１０１、タイトル項目１０２、第１結果項目１０３、第２結果項目１０４および詳細項目１０５を含んでいる。なお、図４の一点鎖線および参照符号は、説明のために標記しているに過ぎず、実際には表示画面１００には表示されない。以下、図５〜１０においても同様である。
【０１０４】
配信日項目１０１には、ランキングレポートが配信された日付が表示される。例えば、日付は、“ＹＹＹＹ／ＭＭ／ＤＤ”形式で表示される。
【０１０５】
タイトル項目１０２には、表示されるウィークリー分析レポートの名称、ここでは、ランキングレポートの名称が表示される。図４では、ランキングレポートの名称として、“似た世帯ランキング”が表示される。
【０１０６】
第１結果項目１０３には、情報端末装置３の所有者の世帯人数ランキングに関連する情報として、先週の結果および前月の同じ週との変動結果が表示される。具体的には、世帯人数ランキングにおける順位と、変動結果を基に順位がアップまたはダウンしたことを表す情報とが表示される。
【０１０７】
第２結果項目１０４には、情報端末装置３の所有者が使用する需要家施設５に対する地域ランキング、世帯人数ランキングおよび住居形態ランキングが表示される。
【０１０８】
地域ランキングでは、地域を表すマークと、地域名と、同一地域の総世帯数のうち何位であったかの情報とが表示される。世帯人数ランキングでは、世帯を表すマークと、世帯数と、同一世帯人数において総世帯数のうち何位であったかの情報とが表示される。住居形態ランキングでは、住居形態を表すマークと、住居形態（戸建または集合住宅）と、同一の住居形態（例えば、戸建）において総世帯数のうち何位であったかの情報とが表示される。
【０１０９】
詳細項目１０５は、ランキングレポートに対する詳細情報を取得するためのボタンが表示される。
【０１１０】
情報端末装置３の所有者が詳細項目１０５で表示されたボタンを押すと、情報端末装置３は、ランキングレポートに対する詳細情報の送信を指示する指示情報を情報配信システム１０（サーバ装置１）へ送信する。情報配信システム１０は、指示情報を受け取ると、ランキングレポートに対する詳細情報を情報端末装置３へ送信する。情報端末装置３は、受け取ったランキングレポートに対する詳細情報を表示する。
【０１１１】
（４．１．２）ワースト曜日レポート
次に、ワースト曜日レポートの表示画面１５０の構成について説明する。
【０１１２】
ワースト曜日レポートの表示画面１５０は、図５に示すように、表示項目として、配信日項目１５１、タイトル項目１５２、第１結果項目１５３、第２結果項目１５４および詳細項目１５５を含んでいる。
【０１１３】
配信日項目１５１には、ワースト曜日レポートが配信された日付が表示される。例えば、日付は、“ＹＹＹＹ／ＭＭ／ＤＤ”形式で表示される。
【０１１４】
タイトル項目１５２には、表示されるウィークリー分析レポートの名称、ここでは、ワースト曜日レポートの名称が表示される。図５では、ワースト曜日レポートの名称として、“電気使用量ワースト３曜日”が表示される。
【０１１５】
第１結果項目１５３には、電気使用量（１日の平均使用電力）が最も大きい曜日名が表示される。
【０１１６】
第２結果項目１５４には、１日の平均使用電力が大きい順に、曜日名が左から右に表示される。具体的には、電球のマークと、その下部に曜日名とその曜日の１日の平均使用電力とが表示される。電球のマークは、順位が視覚的に区別できるように左から右へ順に小さくなっている。
【０１１７】
詳細項目１５５は、ワースト曜日レポートに対する詳細情報を取得するためのボタンが表示される。
【０１１８】
情報端末装置３の所有者が詳細項目１５５で表示されたボタンを押すと、情報端末装置３は、ワースト曜日レポートに対する詳細情報の送信を指示する指示情報を情報配信システム１０（サーバ装置１）へ送信する。情報配信システム１０は、指示情報を受け取ると、ワースト曜日レポートに対する詳細情報を情報端末装置３へ送信する。情報端末装置３は、受け取ったワースト曜日レポートに対する詳細情報を表示する。
【０１１９】
（４．１．３）ピークゾーン診断レポート
次に、ピークゾーン診断レポートの表示画面２００の構成について説明する。
【０１２０】
ピークゾーン診断レポートの表示画面２００は、図６に示すように、表示項目として、配信日項目２０１、タイトル項目２０２、第１結果項目２０３、第２結果項目２０４、第３結果項目２０５、第４結果項目２０６および詳細項目２０７を含んでいる。
【０１２１】
配信日項目２０１には、ピークゾーン診断レポートが配信された日付が表示される。例えば、日付は、“ＹＹＹＹ／ＭＭ／ＤＤ”形式で表示される。
【０１２２】
タイトル項目２０２には、表示されるウィークリー分析レポートの名称、ここでは、ピークゾーン診断レポートの名称が表示される。図６では、ピークゾーン診断レポートの名称として、“わが家の電気使用量ピークゾーン診断”が表示される。
【０１２３】
第１結果項目２０３には、ピークゾーン診断レポートに含まれる第１時間帯で表される時間帯が表示される。
【０１２４】
第２結果項目２０４には、０〜６時、６〜１２時、１２〜１８時および１８〜２４時の所定時間帯ごとの平均使用電力の割合が円グラフで表示される。なお、時間帯は、情報端末装置３の所有者（需要家施設５の使用者）が設定してもよい。時間帯別に料金が異なる場合には、どの料金単価の時間帯に電気使用量が多いかを把握することができる。
【０１２５】
第３結果項目２０５には、ピークゾーン診断レポートに含まれる第２時間帯で表される時間帯が表示される。
【０１２６】
第４結果項目２０６には、単位時間帯ごとの平均使用電力の平均値（第２平均値）が棒グラフで表示される。第２平均値が最も大きい時間帯の表示色は、他の時間帯の表示色と異なっていることが好ましい。これにより、情報端末装置３の所有者は、電気使用量（平均使用電力の第２平均値）のピーク時間帯を視覚的に知ることができる。
【０１２７】
詳細項目２０７は、ピークゾーン診断レポートに対する詳細情報を取得するためのボタンが表示される。
【０１２８】
情報端末装置３の所有者が詳細項目２０７で表示されたボタンを押すと、情報端末装置３は、ピークゾーン診断レポートに対する詳細情報の送信を指示する指示情報を情報配信システム１０（サーバ装置１）へ送信する。情報配信システム１０は、指示情報を受け取ると、ピークゾーン診断レポートに対する詳細情報を情報端末装置３へ送信する。情報端末装置３は、受け取ったピークゾーン診断レポートに対する詳細情報を表示する。
【０１２９】
（４．１．４）電気料金レポート
次に、電気料金レポートの表示画面２５０の構成について説明する。
【０１３０】
電気料金レポートの表示画面２５０は、図７に示すように、表示項目として、配信日項目２５１、タイトル項目２５２、第１結果項目２５３、第２結果項目２５４および詳細項目２５５を含んでいる。
【０１３１】
配信日項目２５１には、電気料金レポートが配信された日付が表示される。例えば、日付は、“ＹＹＹＹ／ＭＭ／ＤＤ”形式で表示される。
【０１３２】
タイトル項目２５２には、表示されるウィークリー分析レポートの名称、ここでは、電気料金レポートの名称が表示される。ここでは、特定の機器としてエアコンを設定している。そのため、図７では、電気料金レポートの名称として、“我が家のエアコン電気料金ランキング”が表示される。
【０１３３】
第１結果項目２５３には、情報端末装置３の所有者と同一の世帯人数の世帯におけるエアコンの電気料金に対する世帯人数ランキングに関連する情報として、先週の結果および前月の同じ週との変動結果が表示される。具体的には、エアコンの電気料金に対す世帯人数ランキングにおける順位と、変動結果を基に順位がアップまたはダウンしたことを表す情報とが表示される。
【０１３４】
第２結果項目２５４には、情報端末装置３の所有者が使用するエアコンの電気料金に対する地域ランキング、世帯人数ランキングおよび住居形態ランキングが表示される。
【０１３５】
地域ランキングでは、地域を表すマークと、地域名と、同一地域の総世帯数のうち何位であったかの情報とが表示される。世帯人数ランキングでは、世帯を表すマークと、世帯数と、同一世帯人数において総世帯数のうち何位であったかの情報とが表示される。住居形態ランキングでは、住居形態を表すマークと、住居形態（戸建または集合住宅）と、同一の住居形態（例えば、戸建）において総世帯数のうち何位であったかの情報とが表示される。
【０１３６】
詳細項目２５５は、電気料金レポートに対する詳細情報を取得するためのボタンが表示される。
【０１３７】
情報端末装置３の所有者が詳細項目２５５で表示されたボタンを押すと、情報端末装置３は、電気料金レポートに対する詳細情報の送信を指示する指示情報を情報配信システム１０（サーバ装置１）へ送信する。情報配信システム１０は、指示情報を受け取ると、電気料金レポートに対する詳細情報を情報端末装置３へ送信する。情報端末装置３は、受け取った電気料金レポートに対する詳細情報を表示する。
【０１３８】
（４．２）マンスリー分析レポートの表示画面の構成
マンスリー分析レポートとして、上述したように、ランキングレポート、ワースト曜日レポート、ピークゾーン診断レポート、電気料金レポートおよびピーク値ランキングレポートがある。情報端末装置３の所有者（需要家施設５の使用者）は、情報端末装置３の入力部３４に対する操作により、これらレポートのうち所望するレポートを表示部３１に表示させる。
【０１３９】
なお、マンスリー分析レポートにおける各種表示画面および下記表示画面３００は、情報端末装置３，８，８ａのいずれかの装置においても表示可能である。
【０１４０】
図８は、マンスリー分析レポートとしての各種レポートから一のレポートを選択するための表示画面３００を示す。表示画面３００は、表示項目として、対象月項目３０１、第１選択肢項目３０２〜第５選択肢項目３０６を含んでいる。
【０１４１】
対象月項目３０１には、表示したいマンスリー分析レポートの分析対象月が表示される。図８では、対象月項目３０１には、“２０１５年１０月”と表示されている。そのため、表示されるマンスリー分析レポートは、２０１５年１１月１日に作成されたレポートになる。対象月項目３０１で表示される年月は、プルダウンメニューで選択してもよいし、対象月項目３０１に直接入力してもよい。
【０１４２】
第１選択肢項目３０２には、マンスリー分析レポートとしてランキングレポートを表示するためのボタンが表示される。第２選択肢項目３０３には、マンスリー分析レポートとしてワースト曜日レポートを表示するためのボタンが表示される。第３選択肢項目３０４には、マンスリー分析レポートとしてピークゾーン診断レポートを表示するためのボタンが表示される。第４選択肢項目３０５には、マンスリー分析レポートとして電気料金レポートを表示するためのボタンが表示される。第５選択肢項目３０６には、マンスリー分析レポートとしてピーク値ランキングレポートを表示するためのボタンが表示される。
【０１４３】
情報端末装置３は、第１選択肢項目３０２〜第５選択肢項目３０６のいずれかのボタンが押されると、押されたボタンに応じたレポートの送信を指示する送信指示情報を情報配信システム１０（サーバ装置１）に送信する。情報配信システム１０は、送信指示情報を受け取ると、受け取った送信指示情報に応じたレポートを情報端末装置３へ送信する。例えば、第１選択肢項目３０２が押されると、情報端末装置３は、マンスリー分析レポートとしてランキングレポートを送信することを表す送信指示情報を情報配信システム１０に送信する。情報配信システム１０は、マンスリー分析レポートとしてランキングレポートを送信することを表す送信指示情報を受け取ると、マンスリー分析レポートとしてランキングレポートを情報端末装置３へ送信する。
【０１４４】
なお、マンスリー分析レポートとしてのランキングレポート、ワースト曜日レポート、ピークゾーン診断レポート、電気料金レポートの各表示画面は、ウィークリー分析レポートとしての各レポートの表示画面１００，１５０，２００，２５０と同様である。そのため、マンスリー分析レポートとしてのランキングレポート、ワースト曜日レポート、ピークゾーン診断レポート、電気料金レポートの各表示画面の説明については省略する。
【０１４５】
以下、ピーク値ランキングレポートの表示画面４００について説明する。
【０１４６】
ピーク値ランキングレポートの表示画面４００は、図９Ａに示すように、表示項目として、月項目４０１、第１タイトル項目４０２、第２タイトル項目４０３、第１結果項目４０４、および第２結果項目４０６を含んでいる。
【０１４７】
月項目４０１には、ピーク値ランキングレポートが作成された月が表示される。例えば、“ＹＹＹＹ／ＭＭ”形式で表示される。
【０１４８】
第１タイトル項目４０２には、表示されるマンスリー分析レポートの名称、ここでは、ピーク値ランキングレポートの名称が表示される。そのため、図９Ａでは、ピーク値ランキングレポートの名称として、“ピーク値ランキング”が表示される。
【０１４９】
第２タイトル項目４０３には、ランキングの対象月を表すタイトルが表示される。具体的には、第２タイトル項目４０３には、月項目４０１で表示される月の前月を含むタイトルが表示される。図９Ａでは、ピーク値ランキングレポートが作成された年月が“２０１６年２月”であるので、第２タイトル項目４０３には、“２０１６／０１によく電気を使った３０分間”というタイトルが表示される。
【０１５０】
第１結果項目４０４には、作成対象月において、３０分間の平均使用電力が大きい上位５つの時間帯に関する情報が表示される。具体的には、第１結果項目４０４には、３０分間の平均使用電力が大きい上位５つの日にちと時間帯と、その日にちおよび時間帯での平均使用電力量との組、およびこれら組に一対一に対応するボタン４０５が表示される。ボタン４０５は、対応する組に含まれる日にちおよび時間帯における詳細情報を表示するためのボタンである。
【０１５１】
第２結果項目４０６には、作成対象月から過去に遡って作成対象月と同一である前年の月までの月ごとに、３０分間での最も大きい平均使用電力（過去平均使用電力）が表示される。具体的には、第２結果項目４０６には、第１表示項目４０７と、第２表示項目４０８とが含まれる。
【０１５２】
第１表示項目４０７には、作成対象月から過去に遡って作成対象月と同一である前年の月までの月ごとに、当該月において最も大きい３０分間の平均使用電力の棒グラフが表示される。
【０１５３】
第２表示項目４０８には、作成対象月を含む過去１年のうち、最も大きい３０分間の平均使用電力の値がいくらであり、その月がいつであるかのメッセージが表示される。図９Ａでは、作成対象月（２０１６年１月）で３０分間の平均使用電力が最も大きい。前回ピーク値ランキングを作成した場合と比べて、３０分間の平均使用電力が最も大きい月は異なっている。そのため、図９Ａでは、３０分間の平均使用電力が最も大きい月が更新されたことを表すメッセージが表示されている。もし、前回ピーク値ランキングを作成した場合と比べて、３０分間の平均使用電力が最も大きい月が異なっていない場合には、３０分間の平均使用電力が最も大きい月（作成対象月よりも過去の月）と当該平均使用電力とを含むメッセージが表示される。
【０１５４】
また、第１表示項目４０７で表示される棒グラフにおいて、３０分間の平均使用電力が最も大きいデータの表示色は、他のデータの表示色と異なっていることが好ましい。例えば、図９Ａでは、２０１６年１月の３０分間の平均使用電力が最も大きいため棒グラフ４０９の色を変更している。これにより、情報端末装置３の所有者は、作成対象月を含む過去１年のうち、３０分間の平均使用電力が最も大きい月を視覚的に知ることができる。
【０１５５】
なお、第１表示項目４０７で表示された各棒グラフのうちユーザが入力部３４に対して操作することで１つの棒グラフが選択される構成であってもよい。１つの棒グラフが選択された場合、第１結果項目４０４には、選択された棒グラフに対応する月の３０分間の平均使用電力が大きい上位５つの時間帯に関する情報が表示される。
【０１５６】
表示画面４００の表示中に、５つのボタン４０５のうち１つのボタン４０５が押されると、情報端末装置３は、押されたボタン４０５に対応する日にちおよび時間帯における詳細情報の送信を指示する指示情報を情報配信システム１０（サーバ装置１）へ送信する。情報配信システム１０は、指示情報を受け取ると、押されたボタン４０５に対応する日にちおよび時間帯におけるピーク値詳細情報を情報端末装置３へ送信する。情報端末装置３は、受け取ったピーク値詳細情報を表示画面４５０に表示する。
【０１５７】
表示画面４５０は、図９Ｂに示すように、表示項目として、タイトル項目４５１、回路ランキング項目４５２および表示制御項目４５３を含んでいる。
【０１５８】
タイトル項目４５１には、表示されるピーク値詳細情報の名称が表示される。具体的には、タイトル項目４５１には、表示画面４００の表示中に押されたボタン４０５に対応する日にちおよび時間帯を含むタイトル名が表示される。図９Ｂでは、タイトル“使用電力量の内訳  上位５回路  １／１１（金）  １２：３０−１３：００”が表示されている。
【０１５９】
回路ランキング項目４５２には、ピーク値詳細情報が表示される。具体的には、部屋、機器またはその両方と、部屋、機器またはその両方における３０分間の平均使用電力との５つの組が表示される。
【０１６０】
表示制御項目４５３には、表示画面４５０の表示を終了するためのボタンが表示される。表示制御項目４５３に表示されたボタンが押されると、情報端末装置３は表示画面４５０の表示を終了する。
【０１６１】
また、３０分間の平均使用電力が最も大きい棒グラフ（例えば、棒グラフ４０９）を押した場合、その月の詳細な情報が表示されてもよい。例えば、図９Ｂに示すような情報が表示される。また、３０分間の平均使用電力が最も大きい棒グラフだけでなく、他の棒グラフを押した場合であっても、その月の詳細な情報が表示されてもよい。
【０１６２】
（５）変形例
（５．１）変形例１
本実施形態では、ウィークリー分析レポートは、週ごとに表示されるレポート内容が異なっている。情報端末装置３の所有者（需要家施設５の使用者）は、ある週で表示されたレポート（例えば、ランキングレポート）について先週の分析時点でのランキングレポートの内容（先々週のランキングレポート）を知りたいと思うことがある。そこで、ウィークリー分析レポートとしての各種レポートの表示画面１００，１５０，２００，２５０において、表示されているレポートに対する先週の分析結果の送信を要求するための要求ボタンを設けてもよい。要求ボタンが押されると、情報端末装置３は、表示中のレポートについて、先週の分析結果の送信を要求する要求情報を情報配信システム１０に送信する。
【０１６３】
情報配信システム１０は、入力部１７で要求情報を受け取ると、情報端末装置３で表示されているレポート（その週での表示対象のレポート）に対する先週分の分析情報（先々週の消費電力量に基づいたレポート）を取得する。情報配信システム１０は、取得した分析情報を、出力部１６を介して情報端末装置３へ送信する。
【０１６４】
ここで、情報配信システム１０は、毎週日曜日に、上述したウィークリー分析レポートとしての各種レポートを作成してもよいし、その週において送信対象のレポートのみを作成してもよい。各種レポートを作成する場合には、作成部１２は、作成した各種レポートを分析結果記憶部１５に記憶し、その週において送信対象のレポートのみを送信する。
【０１６５】
毎週日曜日に各種レポートを作成する場合には、作成部１２は、入力部１７で要求情報が受け取られると、分析結果記憶部１５から情報端末装置３で表示されているレポートに対する先週分の分析情報を取得する。
【０１６６】
毎週日曜日にその週において送信対象のレポートのみを作成する場合には、作成部１２は、入力部１７で要求情報が受け取られると、情報端末装置３で表示されているレポートに対する先週分の分析情報を新たに作成することで、取得する。具体的には、作成部１２は、計測結果記憶部１４に記憶されている先々週分の消費電力用を用いて、情報端末装置３で表示されているレポートに対する先週分の分析情報を作成する。
【０１６７】
（５．２）変形例２
本実施形態では、ウィークリー分析レポートとして、ランキングレポート、ワースト曜日レポート、ピークゾーン診断レポート、および電気料金レポートを用いたが、これらのレポートのみに限定されない。
【０１６８】
ウィークリー分析レポートとして、場所および機器ごとの１週間分の平均使用電力が大きい上位３の場所および機器６３についてのレポート（ワースト分岐回路レポート）を作成してもよい。
【０１６９】
この場合、計測ユニット２１は、複数の分岐回路ごとに計測した消費電力量を情報配信システム１０に送信する際に、分岐回路が設けられた（対応付けられた）部屋または機器の名称を消費電力量に対応付けて送信する。
【０１７０】
作成部１２は、需要家施設５ごとに、計測結果記憶部１４に記憶している当該需要家施設５の先週１週間の消費電力量を用いて複数の分岐回路ごと、つまり部屋または機器ごとに１週間分の平均使用電力を算出する。
【０１７１】
作成部１２は、部屋または機器の名称と、対応する１週間の平均使用電力とからなる複数の組を、１週間分の平均使用電力をソートキーとして降順に並び替える。作成部１２は、上位３つの部屋または機器の名称それぞれを少なくとも含むワースト分岐回路レポートを作成する。
【０１７２】
作成部１２は、作成したワースト分岐回路レポートを、分析情報として、通信部１３を介して送信先の情報端末装置３へ出力する。また、作成部１２は、作成したワースト分岐回路レポートを分析情報として分析結果記憶部１５に記憶する。
【０１７３】
このように、作成部１２は、特定の機器または場所について、複数の分岐ブレーカ６２の消費エネルギーを比較することで、ワースト分岐回路レポートを作成することができる。ここで、分析情報としてのワースト分岐回路レポートにおいて、所定の基準で分析するとは、所定期間（１週間）において、複数の分岐回路ごとに消費エネルギーを分析することである。なお、分岐回路に１つの機器のみが含まれる場合には、所定の基準で分析するとは、所定期間（１週間）において、複数の機器ごとに消費エネルギーを分析することであると捉えることもできる。
【０１７４】
ウィークリー分析レポートとしてワースト分岐回路レポートを送信した後に詳細情報の送信指示を受け取ると、作成部１２は、ワースト分岐回路レポートに含まれる部屋または機器の詳細情報を通信部１３を介して送信する。具体的には、作成部１２は、ワースト分岐回路レポートに含まれる部屋または機器の１時間ごとの平均使用電力を表す情報を詳細情報として通信部１３を介して送信する。
【０１７５】
また、情報端末装置３では、図１０に示す表示画面５００が表示される。
【０１７６】
ワースト分岐回路レポートの表示画面５００は、図１０に示すように、表示項目として、配信日項目５０１、タイトル項目５０２、第１結果項目５０３、第２結果項目５０４および詳細項目５０５を含んでいる。
【０１７７】
配信日項目５０１には、ワースト分岐回路レポートが配信された日付が表示される。例えば、日付は、“ＹＹＹＹ／ＭＭ／ＤＤ”形式で表示される。
【０１７８】
タイトル項目５０２には、表示されるウィークリー分析レポートの名称、ここでは、ワースト分岐回路レポートの名称が表示される。図１０では、ワースト分岐回路レポートの名称として、“電気使用量ワースト３分岐回路”が表示される。
【０１７９】
第１結果項目５０３には、電気使用量（平均使用電力）が最も大きい部屋または機器の名称が表示される。
【０１８０】
第２結果項目５０４には、平均使用電力が大きい順に、部屋または機器の名称が左から右に表示される。具体的には、電球のマークと、その下部に部屋または機器の名称と、部屋または機器に対する１週間の平均使用電力とが表示される。電球のマークは、順位が視覚的に区別できるように左から右へ順に小さくなっている。
【０１８１】
詳細項目５０５は、ワースト分岐回路レポートに対する詳細情報を取得するためのボタンが表示される。
【０１８２】
情報端末装置３の所有者が詳細項目５０５で表示されたボタンを押すと、情報端末装置３は、ワースト分岐回路レポートに対する詳細情報の送信を指示する指示情報を情報配信システム１０（サーバ装置１）へ送信する。情報配信システム１０は、指示情報を受け取ると、ワースト分岐回路レポートに対する詳細情報を情報端末装置３へ送信する。情報端末装置３は、受け取ったワースト分岐回路レポートに対する詳細情報を表示する。
【０１８３】
なお、場所および機器ごとに、１週間分の平均使用電力についてのレポートを作成してもよい。
【０１８４】
（５．３）その他の変形例
本実施形態では、情報配信システム１０（サーバ装置１）は、ピーク値ランキングレポートをマンスリー分析レポートとして作成したが、これに限定されない。情報配信システム１０（サーバ装置１）は、ピーク値ランキングレポートをウィークリー分析レポートとして作成してもよい。
【０１８５】
本実施形態の作成部１２は、ウィークリー分析レポートを作成するタイミング（本実施形態では毎週日曜日）で、ウィークリー分析レポートとしての各種レポートをすべて作成してもよいし、送信対象のレポートのみを作成してもよい。作成部１２は、ウィークリー分析レポートとしての各種レポートをすべて作成する場合には、送信対象のレポートのみを送信し、作成したすべてのレポートを作成対象の需要家施設５の識別子に対応付けて分析結果記憶部１５に記憶する。また、情報配信システム１０は、変形例１で説明した要求情報を受け取ると、分析結果記憶部１５から要求情報に応じたレポートを取得し、送信する。作成部１２は、ウィークリー分析レポートとしての送信対象のレポートのみを作成する場合には、作成したレポートを送信し、作成対象の需要家施設５の識別子に対応付けて分析結果記憶部１５に記憶する。また、情報配信システム１０は、変形例１で説明した要求情報を受け取ると、情報配信システム１０に対応する先々週分の消費電力量を計測結果記憶部１４から取得し、取得した消費電力量から要求情報に応じたレポートを作成し、送信する。
【０１８６】
本実施形態の作成部１２は、ウィークリー分析レポートとしての各種レポートについての詳細情報を予め作成し、分析結果記憶部１５に記憶してもよい。この場合、各種レポートには、詳細情報の記憶先（リンク先）の情報を含める。表示画面が表示される際には、詳細情報を要求するボタンに、詳細情報の記憶先（リンク先）の情報を対応付ける。そして、情報端末装置３では、当該ボタンが押されると、詳細情報の記憶先の情報で表さる記憶先の情報が表示される。また、本実施形態の作成部１２は、マンスリー分析レポートとしての各種レポートについての詳細情報を予め作成し、分析結果記憶部１５に記憶してもよい。
【０１８７】
なお、本実施形態では、作成部１２は、ウィークリー分析レポートとしてピークゾーン診断レポートを作成する際に、平日５日間において、所定時間帯ごとに平均使用電力の第１平均値を算出する構成とした。しかしながら、作成部１２は、上記算出の代わりに、平日５日間において、所定時間帯ごとに平均使用電力の総和を算出してもよい。この場合、作成部１２は、所定時間帯ごとの平均使用電力の総和について、平日５日間における１日の平均使用電力の総和に対する割合を算出する。また、作成部１２は、平日５日間において、同一時間帯ごとに平均使用電力の第２平均値を算出する構成とした。しかしながら、作成部１２は、上記算出の代わりに、同一時間帯ごとに、平均使用電力の総和を算出してもよい。この場合、作成部１２は、同一時間帯ごとの平均使用電力の総和のうち最も大きい総和に対応する時間帯を第２時間帯とする。また、作成部１２は、マンスリー分析レポートとしてピークゾーン診断レポートを作成する場合においても、平均使用電力の平均値を利用する代わりに、平均使用電力の総和を用いてもよい。
【０１８８】
また、ピークゾーン診断レポートを作成する際の対象期間は、平日５日間に限らず、情報端末装置３の所有者（需要家施設５に使用者）が、対象期間（対象曜日）を設定できる構成であってもよい。休日は、平日に対して電気使用量が不規則に変化する。情報端末装置３の所有者によって平日（仕事が休みでない日）と、休日（仕事が休みの日）とが異なる。そのため、対象期間（曜日）を情報端末装置３の所有者が設定することで、平日（仕事が休みでない日）におけるピークゾーンの分析の精度をより高めることができる。
【０１８９】
また、カレンダーに係る情報、特に祝日に関する情報（祝日情報）をピークゾーン診断レポートの作成に反映させてもよい。祝日を平日から除外することで、ピークゾーンの分析の精度をより高めることができる。
【０１９０】
また、本実施形態では、出力部１６は、作成したウィークリー分析レポートを出力する際に、過去に出力したウィークリー分析レポートを併せて出力してもよい。例えば、出力部１６は、今週作成したウィークリー分析レポートを出力する際に、先週出力したウィークリー分析レポートを出力する。
【０１９１】
また、ウィークリー分析レポートしての各種レポートの詳細情報を要求するためのボタンは、ウィークリー分析レポートしての各種レポートの表示画面１００，１５０，２００，２５０のうち少なくとも１つの表示画面に設けられていればよい。同様に、マンスリー分析レポートしての各種レポートの詳細情報を要求するためのボタンは、マンスリー分析レポートしての各種レポートの表示画面のうち少なくとも１つの表示画面に設けられていればよい。
【０１９２】
なお、情報端末装置３が分析情報を取得するトリガは、例えば情報配信システム１０からのプッシュ通知であってもよいし、情報端末装置３の入力部３４に対する所定の操作であってもよい。
【０１９３】
本実施形態において、情報端末装置３，８，８ａに配信される各種レポートは、サーバ装置１（情報配信システム１０）の作成部１２で生成されるとしたが、この構成に限らず、複数の装置に分散して作成されてもよい。例えば、各種レポートは、サーバ装置１、コントローラ４０および情報端末装置３，８，８ａのうち２以上の装置で分散して作成されてもよい。この場合、サーバ装置１が省略されても、コントローラ４０または情報端末装置３，８，８ａで各種レポートが作成され、作成されたレポートに応じた表示画面が作成される。さらに、作成部１２は、サーバ装置１およびコントローラ４０のそれぞれに設けられてもよい。この場合、各種レポートの配信先（情報端末装置３，８，８ａのいずれか）によって、サーバ装置１とコントローラ４０とのいずれかがレポートを作成するかが決まってもよい。例えば、レポートの配信先が情報端末装置８または情報端末装置８ａである場合にはコントローラ４０がレポートを作成し、配信先が情報端末３である場合にはサーバ装置１がレポートを作成する。
【０１９４】
さらに、情報配信システム１０は、サーバ装置１、コントローラ４０、情報端末装置３，８，８ａのうち少なくとも１つの装置によって構成されてもよい。情報配信システム１０の少なくとも一部の機能は、例えばクラウド（クラウドコンピューティング）によって実現されてもよい。
【０１９５】
また、コントローラ４０は、需要家施設５に設置されたスマートメータと通信可能に構成されてもよい。この場合、計測システム２０で計測される計測値の代わりに、スマートメータで計測された値を用いてもよい。
【０１９６】
また、分岐回路ごとの計測には、主幹ブレーカ６１に設けられた電流センサ２３または上記スマートメータを用いてもよい。
【０１９７】
また、分析情報は、ウィークリー分析レポート、マンスリー分析レポートに限らず、１年単位、１０年単位等のレポートであってもよい。
【０１９８】
また、ウィークリー分析レポートで配信されるコンテンツについて、情報端末装置３の所有者が配信を要望するコンテンツ（レポート）を選択したり、送信が不要なコンテンツ（レポート）を削除したりしてもよい。
【０１９９】
（６）まとめ
以上説明したように、本発明に係る第１の態様の情報配信システム１０は、作成部１２と、出力部１６とを備える。作成部１２は、第１分析情報と第２分析情報とを作成する。第１分析情報は、第１所定期間における需要家施設５の消費エネルギー（消費電力量）に関する情報（平均使用電力）を第１基準で分析した情報である。第２分析情報は、第２所定期間における需要家施設５の消費エネルギーに関する情報を第２基準で分析した情報である。出力部１６は、第１分析情報と第２分析情報とを出力する。ここで、第１分析情報は、例えばウィークリー分析情報としてのランキングレポート、ワースト曜日レポート、ピークゾーン診断レポートおよび電気料金レポートのいずれか１つのレポートである。第２分析情報は、上記各種レポートのうち、第１分析情報とは異なるレポートである。
【０２００】
この構成によると、情報配信システム１０は、異なる基準で、第１分析情報と第２分析情報を生成し、第１分析情報と第２分析情報とを出力する。需要家施設５の使用者は、第１分析情報に興味がなくても第２分析情報に興味がある可能性がある。そのため、需要家施設５の使用者は、第２分析情報に注目しやすくなる。したがって、従来の常に同一の基準で消費電力量が分析された結果を表示する場合と比べて、情報配信システム１０は、分析結果の訴求力をより高めることができる。
【０２０１】
本発明に係る第２の態様の情報配信システム１０では、第１の態様において、出力部１６は、第１分析情報と前記第２分析情報とを、異なるタイミングでそれぞれ出力する。この構成によると、情報配信システム１０は、異なるタイミング（例えば、異なる週の同一曜日）で、異なる基準で作成された第１分析情報と第２分析情報とを出力することができる。
【０２０２】
本発明に係る第３の態様の情報配信システム１０では、第２の態様において、第２所定期間は、第１所定期間に連続する期間である。出力部１６は、第２所定期間に第１分析情報を出力し、第２所定期間に連続する第３所定期間に第２分析情報を出力する。この構成によると、需要家施設５の使用者は、直近の過去の所定期間における分析情報を知ることができる。
【０２０３】
本発明に係る第４の態様の情報配信システム１０では、第１の態様において、第２所定期間は、前記第１所定期間に連続する期間である。出力部１６は、第２所定期間に第１分析情報を出力し、第２所定期間に連続する第３所定期間に第１分析情報と前記第２分析情報とを出力する。この構成によると、需要家施設５の使用者は、新たに作成された分析情報の他、過去に送信された分析情報をも知ることができる。
【０２０４】
本発明に係る第５の態様の情報配信システム１０では、第１〜４のいずれかの態様において、第１所定期間と第２所定期間との長さは同一である。この構成によると、情報配信システム１０は、分析情報を作成する際に、期間の長さについては同一とすることができる。
【０２０５】
本発明に係る第６の態様の情報配信システム１０は、第１〜５のいずれかの態様において、入力部１７をさらに備える。入力部１７は、第１分析情報および第２分析情報のうち少なくとも一方の分析情報について、分析情報に対する詳細な情報である詳細情報を出力する指示を受け取る。出力部１６は、入力部１７が詳細情報を出力する指示を受け取ると、当該分析情報に対する詳細情報を出力する。この構成によると、需要家施設５の使用者は、分析情報における詳細情報を知ることができる。
【０２０６】
本発明に係る第７の態様の情報配信システム１０は、第１〜６のいずれかの態様において、第３分析情報を要求する要求情報を受け取る入力部をさらに備える。第３要求情報は、第１分析情報および第２分析情報のうち少なくとも一方の分析情報について、当該分析情報に対する所定期間より過去の別の所定期間における消費エネルギーに関する情報を、当該分析情報の作成で用いられた基準で分析された情報である。作成部１２は、入力部１７が要求情報を受け取ると、第３分析情報を取得する。出力部１６は、第３分析情報を出力する。この構成によると、需要家施設５の使用者は、第３分析情報について知ることができる。
【０２０７】
本発明に係る第８の態様の情報配信システム１０では、第１〜７のいずれかの態様において、第１基準および第２基準の一方の基準について、当該基準で分析するとは、複数の時間帯ごとに所定期間における消費エネルギーに関する情報を分析することである。複数の時間帯は、第１所定期間および第２所定期間のうち当該基準が用いられる所定期間を分割した期間である。この構成によると、消費エネルギーに関する情報に対して複数の時間帯ごとに分析が可能となる。
【０２０８】
本発明に係る第９の態様の情報配信システム１０では、第１〜７のいずれかの態様において、需要家施設５には、複数の分岐回路が設けられている。複数の分岐回路には、１または複数の機器６３が含まれている。第１基準および第２基準の一方の基準について、当該基準で分析するとは、第１所定期間および第２所定期間のうち基準が用いられる所定期間において、分岐回路または機器６３ごとに消費エネルギーに関する情報を分析することである。この構成によると、消費エネルギーに関する情報に対して分岐回路または機器６３ごとに分析が可能となる。
【０２０９】
本発明に係る第１０の態様の情報配信システム１０では、第１〜７のいずれかの態様において、第１基準および第２基準の一方の基準について当該基準で分析するとは、所定期間において消費エネルギーに関する個別の情報を比較することである。所定期間とは、第１所定期間および第２所定期間のうち基準が用いられる期間である。消費エネルギーに関する個別の情報を比較するとは、需要家施設５の消費エネルギーに関する情報と、需要家施設５とは別の需要家施設５の消費エネルギーに関する情報とを比較することである。この構成によると、需要家施設５の消費エネルギーに関する情報と、需要家施設５とは別の需要家施設５の消費エネルギーに関する情報とを比較することによる分析が可能となる。
【０２１０】
本発明に係る第１１の態様の情報配信方法は、作成ステップと出力ステップとを含む。作成ステップは、第１分析情報と第２分析情報とを作成する。第１分析情報は、第１所定期間における需要家施設５の消費エネルギー（消費電力量）に関する情報（平均使用電力）を第１基準で分析した情報である。第２分析情報は、第２所定期間における需要家施設５の消費エネルギーに関する情報を第２基準で分析した情報である。出力ステップは、第１分析情報と第２分析情報とを出力する。この構成によると、分析結果の訴求力をより高めることができる。
【０２１１】
本発明に係る第１２の態様のプログラムは、コンピュータに、作成ステップと出力ステップとを実行させる。作成ステップは、第１分析情報と第２分析情報とを作成する。第１分析情報は、第１所定期間における需要家施設５の消費エネルギー（消費電力量）に関する情報（平均使用電力）を第１基準で分析した情報である。第２分析情報は、第２所定期間における需要家施設５の消費エネルギーに関する情報を第２基準で分析した情報である。出力ステップは、第１分析情報と第２分析情報とを出力する。この構成によると、分析結果の訴求力をより高めることができる。
【０２１２】
なお、上記情報配信方法およびプログラムは、実施形態および各変形例の動作を適用することが可能である。
【０２１３】
本発明に係る記録媒体は、上記プログラムを記録している。この構成によると、分析結果の訴求力をより高めることができる。
【符号の説明】
【０２１４】
１    サーバ装置
５    需要家施設
１０    情報配信システム
１２    作成部
１６    出力部
１７    入力部
６３    機器
【図１】
2017191525.tif 000003
【図２】
2017191525.tif 000004
【図３】
2017191525.tif 000005
【図４】
2017191525.tif 000006
【図５】
2017191525.tif 000007
【図６】
2017191525.tif 000008
【図７】
2017191525.tif 000009
【図８】
2017191525.tif 000010
【図９】
2017191525.tif 000011
【図１０】
2017191525.tif 000012